(57)【要約】【課題】ビルの屋上の種々の形状、寸法をした様々なタイプのパラペットに、取付場所を問うことなく設置可能であり、また、軽量であって操作性に優れており、誰でも簡単に設置することのできるパラペットスタンションを提供する。【解決手段】第１ジョー部材２と、第１ジョー部材２に対して相対的に離接して可動な第２ジョー部材３と、第１及び第２ジョー部材２、３を相対的に離接可能に連結する連結部材４と、を有し、第１ジョー部材２に設けられた可動側押えパッド２４を第２ジョー部材３に設けられた固定側押えパッドの方へと可動として、パラペットを挟持する。【選択図】図１
0003190038.tif 000002
【実用新案登録請求の範囲】
【請求項１】
第１ジョー部材と、
前記第１ジョー部材に対して離接して可動とされる第２ジョー部材と、
前記第１及び第２ジョー部材を離接可能に連結する連結部材と、
を有し、
前記第１ジョー部材は、
支持ポールを挿脱自在に取付けるための第１支持ポールホルダーと、
前記第１支持ポールホルダーに対して直交して前記第１支持ポールホルダーの一端に一体に設けられ、支持ポールを挿脱自在に取付けるための第２支持ポールホルダーと、
前記第１支持ポールホルダーに対して直交して配置され、前記第１支持ポールホルダーに対して螺合された作動ネジ軸と、
前記作動ネジ軸の前記第２ジョー部材側の一端に連結され、前記作動ネジ軸を回転させることにより前記第２ジョー部材側へと離接可能とされた可動側押えパッドと、
前記作動ネジ軸の他端に取付けられ、前記作動ネジ軸を回転するための操作ハンドルと、
を備え、
前記第２ジョー部材は、
前記第１支持ポールホルダーと平行に配置されたパッドホルダーと、
前記可動側押えパッドに対向して前記パッドホルダーに取付けられ、前記可動側押えパッドと協働してパラペットを挟持する固定側押えパッドと、
を備え、
前記連結部材は、
前記第１支持ポールホルダーの前記第２支持ポールホルダーが取付けられた側とは反対側の端部に固着された第１連結材と、前記第１連結材と対向して前記パッドホルダーの一端側に固着され、前記第１連結材と入れ子式にて相対的に移動可能に接続された第２連結材と、
を備えていることを特徴とするパラペットスタンション。
【請求項２】
前記可動側押えパッドは、前記作動ネジ軸の先端に回転自在に取付けられていることを特徴とする請求項１に記載のパラペットスタンション。
【請求項３】
前記可動側押えパッドと前記固定側押えパッドとの対向する面にゴム板が貼着され、且つ、前記連結部材の、前記可動側押えパッド及び前記固定側押えパッドに対向する面にゴム板が貼着されていることを特徴とする請求項１又は２に記載のパラペットスタンション。
【考案の詳細な説明】
【技術分野】
【０００１】
本考案は、例えばビルの屋上での作業に際し、屋上からの不測の転落事故を防止するために、屋上の外周囲に設けられた低い小壁（以下、「パラペット」という。）に支持ポールを設置し、例えば防護ネット、防護手すりなどの安全柵を屋上外周囲に形成するための安全柵形成装置（以下、「パラペットスタンション」という。）に関するものである。
【背景技術】
【０００２】
従来、ビルの屋上の作業に際し、屋上からの不測の転落事故を防止するために、ビル屋上の外周端に設けられたパラペットにパラペットスタンションを設置し、このパラペットスタンションを利用して防護ネットなどをビル屋上の外周端に張り回し、安全柵を形成することが行われている。
【０００３】
しかしながら、パラペットは種々の形状、寸法をした様々なタイプのものがあり、そのため、様々なタイプのパラペットに対応するべく、種々のタイプのパラペットスタンションを用意する必要があり、極めて不便であった。また、パラペットスタンションは大型のものが多く、重量も重く、搬送及び据え付けにおいて多くの人手と時間を余儀なくするものであった。
【０００４】
なお、本実用新案登録出願人は、出願時点において、上記従来の問題を解決するための本考案に関連したパラペットスタンション等を開示する先行技術文献を見つけることができなかった。従って、先行技術文献情報を開示していない。
【考案の概要】
【考案が解決しようとする課題】
【０００５】
そこで、本考案の目的は、ビルの屋上の種々の形状、寸法をした様々なタイプのパラペットに、取付場所を選ぶことなく設置可能であり、また、軽量であって可搬性、操作性に優れており、誰でも簡単に設置することのできるパラペットスタンションを提供することである。
【課題を解決するための手段】
【０００６】
上記目的は本考案に係るパラペットスタンションにて達成される。要約すれば、本考案は、
第１ジョー部材と、
前記第１ジョー部材に対して離接して可動とされる第２ジョー部材と、
前記第１及び第２ジョー部材を離接可能に連結する連結部材と、
を有し、
前記第１ジョー部材は、
支持ポールを挿脱自在に取付けるための第１支持ポールホルダーと、
前記第１支持ポールホルダーに対して直交して前記第１支持ポールホルダーの一端に一体に設けられ、支持ポールを挿脱自在に取付けるための第２支持ポールホルダーと、
前記第１支持ポールホルダーに対して直交して配置され、前記第１支持ポールホルダーに対して螺合された作動ネジ軸と、
前記作動ネジ軸の前記第２ジョー部材側の一端に連結され、前記作動ネジ軸を回転させることにより前記第２ジョー部材側へと離接可能とされた可動側押えパッドと、
前記作動ネジ軸の他端に取付けられ、前記作動ネジ軸を回転するための操作ハンドルと、
を備え、
前記第２ジョー部材は、
前記第１支持ポールホルダーと平行に配置されたパッドホルダーと、
前記可動側押えパッドに対向して前記パッドホルダーに取付けられ、前記可動側押えパッドと協働してパラペットを挟持する固定側押えパッドと、
を備え、
前記連結部材は、
前記第１支持ポールホルダーの前記第２支持ポールホルダーが取付けられた側とは反対側の端部に固着された第１連結材と、前記第１連結材と対向して前記パッドホルダーの一端側に固着され、前記第１連結材と入れ子式にて相対的に移動可能に接続された第２連結材と、
を備えていることを特徴とするパラペットスタンションである。
【０００７】
本考案の一実施態様によると、前記可動側押えパッドは、前記作動ネジ軸の先端に回転自在に取付けられている。
【０００８】
本考案の他の実施態様によると、前記可動側押えパッドと前記固定側押えパッドとの対向する面にゴム板が貼着され、且つ、前記連結部材の、前記可動側押えパッド及び前記固定側押えパッドに対向する面にゴム板が貼着されている。
【考案の効果】
【０００９】
本考案のパラペットスタンションは、ビルの屋上の種々の形状、寸法をした様々なタイプのパラペットに、取付場所を選ぶことなく設置可能であり、また、軽量であって可搬性、操作性に優れており、誰でも簡単に設置することができる。
【図面の簡単な説明】
【００１０】
【図１】本考案に係るパラペットスタンションの一実施例の概略構成を示す斜視図である。
【図２】図２（ａ）は、図１に示す本考案のパラペットスタンションの正面図であり、図２（ｂ）は第２ジョー部材の正面図である。
【図３】図２にて右側から見たパラペットスタンションの側面図である。
【図４】図２にて上側から見たパラペットスタンションの平面図である。
【図５】可動側押えパッドの作動ネジ軸への取付け態様を説明する断面図である。
【図６】図６（ａ）、（ｂ）は、本考案のパラペットスタンションの作動態様を説明する図である。
【図７】図７（ａ）、（ｂ）、（ｃ）は、種々のタイプのパラペットに対する本考案のパラペットスタンションの取付け、使用方法を説明する図である。
【図８】本考案のパラペットスタンションのパラペットに対する取付態様の一例を説明する図である。
【図９】本考案のパラペットスタンションの使用方法の一例を説明する図である。
【考案を実施するための形態】
【００１１】
以下、本考案に係るパラペットスタンションを図面に則して更に詳しく説明する。
【００１２】
実施例１
図１に、本考案に係るパラペットスタンション１の一実施例の概略構成を示す。図２〜図５をも参照して、本実施例に係るパラペットスタンション１を説明する。
【００１３】
本実施例にて、パラペットスタンション１は、概略「コ」の字を形成するように配置された、第１ジョー部材２と、第２ジョー部材３と、この第１、第２ジョー部材２、３に対して直交して配置された連結部材４とを備え、詳しくは後述するが、パラペット１０１（図７参照）にパラペットスタンション１を装着するための開口部１Ａが形成される。連結部材４は、第１及び第２ジョー部材２、３を互いに離間する方向へと、或いは、互いの方へと接近して（以下、単に「離接して」という場合もある。）可動に連結した連結手段であり、前記パラペットにパラペットスタンション開口部１Ａの寸法（Ｌ０）（図２（ａ）参照）が変更可能とされる。
【００１４】
更に詳しく説明すると、第１ジョー部材２は、図１及び図２（ａ）にて水平に配置された第１支持ポールホルダー５と、第１支持ポールホルダー５に対して直交して第１支持ポールホルダー５の一端に一体に設けられた第２支持ポールホルダー６とを有している。本実施例にて、第１及び第２支持ポールホルダー５、６は、限定されるものではないが、外径が６０．０ｍｍ程度、肉厚が３．０ｍｍ程度の鋼製の円筒管とされる。第１支持ポールホルダー５と第２支持ポールホルダー６とは、溶接にて一体とされる。また、場合によっては、ネジ等を利用して一体的に組み立てることも可能である。
【００１５】
ここで、本実施例のパラペットスタンション１の概略寸法について言えば、図２（ａ）にて、第１ジョー部材２の長さＬ１は４００ｍｍ程度、第２ジョー部材の長さＬ２は約３５０ｍｍ程度、支持ポール２００を除くパラペットスタンション１の高さＬ３は７００ｍｍ程度とされる。
【００１６】
本実施例では、図２（ａ）において、第１支持ポールホルダー５の右側から第１支持ポールホルダー５の開口部５ａを介して、例えば防護ネット取付のための支持ポール２００を挿脱自在に取付けることができる。また、図２（ａ）において、第２支持ポールホルダー６は、その上方より、第２支持ポールホルダー６の開口部６ａを介して、例えば防護ネット取付のための支持ポール２００を挿脱自在に取付けることができる。実際のパラペットスタンション１の使用に際しては、通常、第１、第２支持ポールホルダー５、６のいずれか一方を使用して支持ポール２００が取付けられる。支持ポール２００は、第１、第２支持ポールホルダー５、６に挿脱可能な寸法とされ、本例では外径が４８．６ｍｍ程度の断面円形の、又、長さが１．０ｍとされる金属製或いはＦＲＰ製の管或いはロッドとされる。
【００１７】
第１及び第２支持ポールホルダー５、６には、上述のように、支持ポール挿入開口部５ａ、６ａから第１及び第２支持ポールホルダー５、６へと挿入された支持ポール２００をその場に固定するために、取付けネジ（蝶ネジ）７、８が設けられる。取付けネジ７、８は、第１及び第２支持ポールホルダー５、６に一体に形成された雌ネジボス９ａ、９ｂのネジ溝に螺合して、第１及び第２支持ポールホルダー５、６内へと進入し、支持ポール２００に係合してその場に係止する。また、本実施例では、第２支持ポールホルダー６の挿入開口部６ａとは反対側の、図２（ａ）にて下方開口端部６ｂには、閉鎖板（ストッパー）６ｃが一体に固着されており、支持ポール２００のそれ以上の挿入を制限する。
【００１８】
第２ジョー部材３は、図１及び図２（ａ）にて水平に配置された第１支持ポールホルダー５に対して平行に所定の距離だけ離間した位置に配置されたパッドホルダー１１と、パッドホルダー１１の第１支持ポールホルダー５に対向する面に固定された固定側押えパッド１２とを有している。パッドホルダー１１は、断面矩形状の、本例では正方形の鋼管にて作製され、また、固定側押えパッド１２は、パッドホルダー１１より幅広の断面矩形状の、本例では長方形の鋼管にて作製される。本実施例にて、パッドホルダー１１は、一辺が５１ｍｍ、肉厚３ｍｍの断面正方形の鋼管とされ、また、固定側押えパッド１２は、長辺×短辺が１００×３０ｍｍ、肉厚２．５ｍｍの断面が長方形の鋼管とされる。勿論これに限定されるものではない。パッドホルダー１１と固定側押えパッド１２とは、溶接にて一体とされる。勿論、場合によっては、ネジ等を利用して一体的に組み立てることも可能である。
【００１９】
連結部材４は、上記第１支持ポールホルダー５の第２支持ポールホルダー６が取付けられた側とは反対側の端部に固着された第１連結材１５と、この第１連結材１５と対向して上記パッドホルダー１１の一端側に固着された第２連結材１６とを有している。本実施例では、第１連結材１５及び第２連結材１６は、鋼製の断面矩形状の、本例では正方形の角筒部材とされ、第１連結材１５の角筒部材と第２連結材１６の角筒部材は断面が相似形とされ、本実施例では、第１連結材１５の形状が大とされる。従って、図２（ａ）、（ｂ）にて、第２連結材１６は、第１連結材１５の管内へと第１連結材１５の開口部１５ａより軸線方向に上方へと挿入可能とされ、所定の位置にてその場に固定される。本実施例では、第１及び第２連結材１５、１６には、それぞれ、所定間隔にて長さ方向に等間隔にて、例えば４個の貫通孔１７、１８が形成される。第１及び第２連結材１５、１６の貫通孔１７、１８を貫通してボルト１９を挿通し、ナット２０を螺合することにより、第１及び第２連結材１５、１６は固定して連結される。つまり、角筒部材とされる第１及び第２連結材１５、１６は、第２連結部材１６が第１連結部材１５内に挿入されて出し入れ可能とされる、所謂、入れ子式の連結手段とされ、両者を接続固定するボルト１９、ナット２０の締め付け位置を変更することによって、第１連結材１５と第２連結材１６によって形成される連結部材４の伸長長さを調整することができる。本実施例にて、ボルト１９、ナット２０の締め付け位置は、２か所として図示しているが、これに限定されるものではない。本実施例にて、第１連結材１５は、一辺が５１ｍｍ、肉厚３ｍｍの断面正方形の鋼管とされ、また、第２連結材１６は、一辺が４０ｍｍ、肉厚３ｍｍの断面正方形の鋼管とされる。勿論これに限定されるものではない。
【００２０】
なお、第１支持ポールホルダー５と第１連結材１５、及び、パッドホルダー１１と第２連結材１６とは、溶接にて一体とされる。勿論、場合によっては、ネジ等を利用して一体的に組み立てることも可能である。
【００２１】
更に、第１支持ポールホルダー５には、第１支持ポールホルダー５に対して直交して配置され、第１支持ポールホルダー５を貫通して作動ネジ軸２１が設置されている。作動ネジ軸２１は、第１支持ポールホルダー５に一体に設けられた雌ネジボス部２２、２３のネジ溝に螺合し、図１、図２（ａ）にて上下動自在とされる。
【００２２】
作動ネジ軸２１の第２ジョー部材３側の先端部（図２（ａ）にて下端）には、可動側押えパッド２４が取り付けられ、作動ネジ軸２１の他端側（図２（ａ）にて上端）には、操作ハンドル２６が一体に取付けられている。ここで、図５を参照すると理解されるように、可動側押えパッド２４は、作動ネジ軸２１の先端に回転自在に取付けられる。本実施例では、作動ネジ軸２１の先端に、作動ネジ軸２１より大径とされるストッパ板３０を固着し、可動側押えパッド２４に形成した、ストッパ板３０より大とされる凹所３１に設置する。該ストッパ板３０は、可動側押えパッド２４に、溶接、或いは、図示してはいないがネジ止めなどにて固着した固定板３２により、凹所３１からの抜け出しが阻止される。従って、可動側押えパッド２４は、作動ネジ軸２１の先端に回転自在に装着されることとなる。可動側押えパッド２４を作動ネジ軸２１に対して固定したい場合には、可動側押えパッド２４に隣接して作動ネジ軸２１に螺合されているダブルナット３３を利用して固定することができる。斯かる構成により、可動側押えパッド２４は、パッドホルダー１１に取付けられた固定側押えパッド１２と対向配置されおり、操作ハンドル２６を操作することにより、可動側押えパッド２４と固定側押えパッド１２との距離が調節される。
【００２３】
可動側押えパッド２４と固定側押えパッド１２の対向面、即ち、図１、図２（ａ）にて、固定側押えパッド１２の上面及び可動側押えパッド２４の下面には、それぞれ、薄い、例えば厚さ１ｍｍ程度のゴム板１３、２５が貼着されている。更に、連結部材４の、本例では、第１連結材１５の内面、即ち、左側面にも又同様の、薄い、例えば厚さ１ｍｍ程度のゴム板２７が貼着されている。これは、図７を参照して後述するように、本発明のパラペットスタンション１をパラペット１０１に取付ける際に、パラペット１０１被取付面を傷つけないためと、又、パラペットスタンション１を被取付面に緩むことなく、しっかりと固定して取付けるためである。
【００２４】
図６（ａ）、（ｂ）に示すように、本実施例によれば、パラペットスタンション１は、連結部材４を最も長く伸ばし、且つ、作動ハンドル２６を操作することにより可動側押えパッド２４と固定側押えパッド１３を最も離間した状態に位置させることにより、可動側押えパッド２４と固定側押えパッド１３間の距離を最長距離Ｌｍａｘ（図６（ａ））とし、また、連結部材４を最も短くし、且つ、作動ハンドル２６を操作することにより可動側押えパッド２４と固定側押えパッド１３を最も近接した状態に位置させることにより、可動側押えパッド２４と固定側押えパッド１３間の距離を最短距離Ｌｍｉｎ（図６（ｂ））とすることができる。
【００２５】
次に、図７（ａ）、（ｂ）、（ｃ）を参照して、種々のタイプのパラペット１０１（１０１Ａ、１０１Ｂ、１０１Ｃ）に対する本実施例のパラペットスタンション１の使用方法について説明する。
【００２６】
図７（ａ）は、水平パラペット１０１Ａに本実施例のパラペットスタンション１を取付けた態様を示し、図７（ｂ）は、雨切付パラペット１０１Ｂに本実施例のパラペットスタンション１を取付けた態様を示し、図７（ｃ）は、垂直パラペット１０１Ｃに本実施例のパラペットスタンション１を取付けた態様を示す。
【００２７】
図７（ａ）に示す水平パラペット１０１Ａに本実施例のパラペットスタンション１を取付ける際には、屋上の躯体１００から外方へと水平に突出した水平パラペット１０１Ａに対して、先ず、連結部材４の第１、第２連結材１５、１６をパラペット１０１のサイズに合わせて、適宜、所定の長さに調整して固定する。次いで、本例では、パラペットスタンション１の第１支持ポールホルダー５に設けられたアイボルト１０などを利用してパラペットスタンション１をロープ等で吊り下げ保持して搬送し、「コ」の字状に配置されたパラペットスタンション１の第１ジョー部材２の第１支持ポールホルダー５と、第２ジョー部材３のパッドホルダー１２と、連結部材４の第１連結材１５とにて形成される「コ」の字状の開口部１Ａ側からパラペットスタンション１をパラペット１０１Ａへと装入して、パラペット１０１Ａの下面１０３及び垂直面１０４に、それぞれ、パラペットスタンション１の固定側押えパッド１２及び第１連結材１５を、また、パラペット１０１Ａの上面１０２に対して可動側押えパッド２４を対向させる。これにより、第２支持ポールホルダー６が水平パラペット１０１Ａの屋上内側に位置することとなる。
【００２８】
次いで、操作ハンドル２６を操作し、固定側押えパッド１２をパラペット１０１の下面１０３に当接させ、また、第１連結材１５をパラペット１０１の垂直面１０４に当接させた状態で、可動側押えパッド２４をパラペット１０１の上面１０２の方へと移動させ、パラペット１０１の上面１０２に密着させる。更に、操作ハンドル２６を操作することにより、可動側押えパッド２４及び固定側押えパッド１２にて水平パラペット１０１Ａの上面１０２及び下面１０３をしっかりと挟持すると共に、連結部材４の第１連結材１５をパラペット１０１の垂直面１０４に当接して固定させる。
【００２９】
このようにして水平パラペット１０１Ａに固定されたパラペットスタンション１の第２支持ポールホルダー６に支持ポール２００を上方より差し込み、固定ネジ８で固定する。この場合は、第１支持ポールホルダー５に支持ポール２００を取付けることはない。
【００３０】
図７（ｂ）に示す雨切付パラペット１０１Ｂに本実施例のパラペットスタンション１を取付ける場合と、図７（ｃ）に示す垂直パラペット１０１Ｃに本実施例のパラペットスタンション１を取付ける場合は、同様の態様にて取付けられる。
【００３１】
つまり、図７（ｂ）に示す雨切付パラペット１０１Ｂに本実施例のパラペットスタンション１を取付ける際には、屋上の躯体１００から上方へと垂直に突出した雨切付パラペット１０１Ｂに対して、パラペットスタンション１の第１ジョー部材２と第２ジョー部材３と連結部材４にて形成される開口部１Ａ側から装入して、パラペット１０１Ｂの垂直外面１０４及び上面１０２に、それぞれ、パラペットスタンション１の固定側押えパッド１２及び第１連結材１５を、また、パラペット１０１Ｂの垂直内面１０５に対してパラペットスタンション１の可動側押えパッド２４を対向させる。これにより、第１支持ポールホルダー５がパラペット１０１Ｂの屋上内側に位置することとなる。次いで、操作ハンドル２６を操作し、固定側押えパッド１２をパラペット１０１Ｂの垂直面１０４に当接させ、また、第１連結材１５をパラペット１０１Ｂの上面１０２に当接させた状態で、可動側押えパッド２４をパラペット１０１Ｂの垂直内面１０５の方へと移動させ、パラペット１０１Ｂの垂直面１０５に密着させる。更に、操作ハンドル２６を操作することにより、可動側押えパッド２４及び固定側押えパッド１２にて垂直な雨切付パラペット１０１Ｂをしっかりと挟持すると共に、第１連結材１５をパラペットの上面１０２に当接して固定させる。可動側押えパッド２４は、雨切付パラペット１０１Ｂの上部雨切部１０６を避けて雨切付パラペット１０１Ｂの垂直内面１０５に当接するようにする。このようにして雨切付パラペット１０１Ｂに固定されたパラペットスタンション１の第１支持ポールホルダー５に支持ポール２００を上方より差し込み、固定ネジ７で固定する。この場合は、第２支持ポールホルダー６に支持ポール２００を取付けることはない。
【００３２】
尚、図８に示すように、連結部材４のボルト１９、ナット２０を利用してＬ字型の補助金具４０を取付け、水平パラペット１０１Ｂの上面１０２を押え付けることにより、パラペットスタンション１がより安定してパラペット１０１に取付けられる。補助金具４０は連結部材４に対して両側に対象配置にて設置される。図８には、反対側の補助金具４０は図示されていない。
【００３３】
図７（ｃ）に示す垂直パラペット１０１Ｃは、図７（ｂ）に示すに雨切付パラペット１０１Ｂとは、垂直パラペットの上部に雨切部１０５が設けられていない点で異なるのみである。従って、図７（ｃ）に示す垂直パラペット１０１Ｃに本実施例のパラペットスタンション１を取付ける取付け態様は、上述の図７（ｂ）に関連して説明した雨切付パラペット１０１Ｂに対すると同じ取付け態様にて垂直パラペット１０１Ｃに本実施例のパラペットスタンション１を取付けることができる。
【００３４】
上述のようにして屋上のパラペット１０１に取付けられたパラペットスタンション１の支持ポール２００を利用して、図９に示すように、例えば防護ネット３００などが取付けられる。
【００３５】
上記構成とされる本考案のパラペットスタンション１によれば、第１及び第２ジョー部材２、３等は、鋼製のパイプを使用し、溶接等にて一体に形成されるので、重量を１０ｋｇ程度にまで軽減でき、極めて軽量であり、取扱性及び操作性に優れている。また、ビルの屋上の種々の形状、寸法をした様々なタイプのパラペットに、取付場所を選ぶことなく設置可能であり、誰でも簡単に設置することができる。
【符号の説明】
【００３６】
１          パラペットスタンション
２          第１ジョー部材
３          第２ジョー部材
４          連結部材
５          第１支持ポールホルダー
６          第２支持ポールホルダー
１１        パッドホルダー
１２        固定側押えパッド
１５        第１連結材
１６        第２連結材
２１        作動ネジ軸
２４        可動側押えパッド
２６        操作ハンドル
１０１（１０１Ａ、１０１Ｂ、１０１Ｃ）    パラペット
２００        支持ポール
【図１】
0003190038.tif 000003
【図２】
0003190038.tif 000004
【図３】
0003190038.tif 000005
【図４】
0003190038.tif 000006
【図５】
0003190038.tif 000007
【図６】
0003190038.tif 000008
【図７】
0003190038.tif 000009
【図８】
0003190038.tif 000010
【図９】
0003190038.tif 000011